(57)【特許請求の範囲】
【請求項１】
脚用施療子付きの脚載置部及びこの載置部を所定の可動範囲にわたって前後方向に移動可能に支持する脚支持体を有した脚載置台と、この載置台を椅子本体の座部の前方に配置するとともに、前記脚載置台を前記可動範囲内の任意位置に固定するワンタッチロック機構とを備えた椅子式マッサージ機において、
前記脚支持体が有する前後方向に延びる２本の支持軸に、前記脚載置部が有する嵌合部材を夫々摺動可能に嵌合させて前記脚載置部を前記脚支持体に支持し、かつ、前記両支持軸の内の一方の支持軸とこの軸に嵌合される前記嵌合部材の嵌合孔とを密に嵌合させるとともに、他方の支持軸とこの軸に嵌合される前記嵌合部材の嵌合孔とを相互間に遊び間隙を形成して嵌合させ、
前記ワンタッチロック機構が、前記一方の支持軸に接するブレーキシューと、ロック位置とロック解除位置とにわたって回動可能に設けられその回動により前記支持軸に対する前記ブレーキシューの接触圧を増減するブレーキレバーとを有したことを特徴とする椅子式マッサージ機。
【発明の詳細な説明】
【０００１】
【発明の属する技術分野】
本発明は、椅子本体の座部前方に配置される脚載置台を備え、この脚載置台が有する脚載置部に設けた脚用施療子で、脚載置部に載せられた使用者の脚に対するマッサージができる椅子式マッサージ機に関する。
【０００２】
【従来の技術】
椅子本体の座部前方に配置される脚載置台の脚載置部を前後方向に移動可能にすることは、使用者の年齢や性別等による体格差に拘らず、脚載置部が有する施療子を脚の被施療部に合わせて配置可能な点で優れており、こうした技術は本出願人により提案され特開平８−３２２８９５公報として知られている。
【０００３】
この公報に記載の椅子式マッサージ機では、脚載置部の裏面にラックを設けるとともに、このラックに噛み合う歯車、この歯車を回転させるモータ、及び歯車減速機構等を、脚載置部を支持する脚支持体（支持台）側に設けており、前記モータの駆動により前記歯車を低速回転させてこれと前記ラックとの噛み合いを変化させ、脚載置部を前後方向に移動させるように構成されている。
【０００４】
【発明が解決しようとする課題】
脚載置部を前後方向に移動させることは既述のように優れているが、前記公報に記載の椅子式マッサージ機には、その脚載置部の移動範囲についての記載がなく、千差万別な使用者側の条件（前記体格差）のすべてに適合できるとは言い難かった。こうした事情から椅子式マッサージ機の開発にあたって、万人に対するの使用感を向上するためには、万人の脚の被施療部に対して適正位置に脚用施療子を配置できるようにすることが望まれている。
【０００６】
本発明が解決しようとする課題は、使用感を向上しつつ、脚載置部が有する施療子を使用者の脚の被施療部に対する適正位置に容易に位置決めできる椅子式マッサージ機を得ることにある。
【０００９】
【課題を解決するための手段】
請求項１の発明は、脚用施療子付きの脚載置部及びこの載置部を所定の可動範囲にわたって前後方向に移動可能に支持する脚支持体を有した脚載置台と、この載置台を椅子本体の座部の前方に配置するとともに、前記脚載置台を前記可動範囲内の任意位置に固定するワンタッチロック機構とを備えた椅子式マッサージ機を前提とし、前記課題を解決するために、前記脚支持体が有する前後方向に延びる２本の支持軸に、前記脚載置部が有する嵌合部材を夫々摺動可能に嵌合させて前記脚載置部を前記脚支持体に支持し、かつ、前記両支持軸の内の一方の支持軸とこの軸に嵌合される前記嵌合部材の嵌合孔とを密に嵌合させるとともに、他方の支持軸とこの軸に嵌合される前記嵌合部材の嵌合孔とを相互間に遊び間隙を形成して嵌合させ、前記ワンタッチロック機構が、前記一方の支持軸に接するブレーキシューと、ロック位置とロック解除位置とにわたって回動可能に設けられその回動により前記支持軸に対する前記ブレーキシューの接触圧を増減するブレーキレバーとを有したことを特徴とするものである。
【００１０】
この請求項１の発明において、脚支持体の２本の支持軸は、これらに嵌合された嵌合部材を介して脚載置部を支持するとともに、その軸方向に沿って、言い換えれば、前後方向に脚載置部の移動を案内する。こうした脚載置部の移動により脚載置部が有する施療子を使用者の脚の被施療部に対し適正位置に配置して、被施療部を脚載置部の脚用施療子でマッサージできる。そして、前記一方の支持軸とこれへの嵌合部材の密なる嵌合により、前記脚載置部を幅方向にがたつくことなく移動させることができるとともに、前記他方の支持軸とこれへの嵌合部材の遊嵌により、嵌合部材及び２本の支持軸の寸法のばらつきや取付け位置のばらつき等に拘らず、このばらつきを前記遊び間隙により吸収して前記他方の支持軸とこれに嵌合された嵌合部材とが競ることを防止できる。そのため、脚支持体に対する脚載置部の前後方向の移動を円滑に行なわせることができる。
【００１１】
更に、請求項１の発明は、前記両支持軸の内の少なくとも一方の支持軸に接するブレーキシューと、ロック位置とロック解放位置とにわたって回動可能に設けられその回動により前記支持軸に対する前記ブレーキシューの接触圧を増減するブレーキレバーとを有したワンタッチロック機構を備えている。
【００１２】
このため、ワンタッチロック機構のブレーキレバーをロック位置からロック解除位置に回動させると、ブレーキシューの支持軸に対する接触圧が減少するので、これらシューと支持軸との相対的移動が許されて、前記脚支持体に対して前記脚載置部を前後方向に移動させることが可能となる。又、この逆に、ブレーキレバーをロック解除位置からロック位置に回動させると、ブレーキシューの支持軸に対する接触圧が増大されるので、これらシューと支持軸との相対的移動が禁止されて、前記脚載置部に対して前後方向に移動された脚載置部を調節位置から動かないように固定できる。
【００１３】
【発明の実施の形態】
以下、図１〜図７を参照して本発明の第１の実施の形態を説明する。
【００１４】
第１の実施の形態に係る椅子式エアーマッサージ機を示した図１及び図２中１は椅子本体であり、この本体１は金属製の本体フレーム２に座部３と背凭れ４と肘掛け部５とを夫々取付けて形成されている。図２に示されるように本体フレーム２は、左右一対の脚用パイプ２ａ（一方のみ図示）の夫々に座部支持用パイプ２ｂ（一方のみ）を連結するとともに、左右の脚用パイプ２ａにわたり複数の連結架材２ｃを横架し、かつ、左右の座部支持用パイプ２ｂにわたり複数の連結架材２ｄ、２ｅを横架して形成されている。
【００１５】
座部３は座部用支持パイプ２ｂ及び連結架材２ｄ、２ｅ上に配置されている。背凭れ４は、座部３の後側にこの座部３に対して所定角度傾斜して配設され、又、肘掛け部５は座部３の両側に位置し本体フレーム２を覆い隠して配置されている。背凭れ４は、両方の座部支持用パイプ２ｂの後端部から後向きに突設されたステー６に枢軸７を介して起倒するように回動可能に支持されていて、リクライニング動作可能に設けられている。
【００１６】
すなわち、座部３の下側には前記連結架材２ｅに固定されたアーム８に一端部を枢着してガススプリング９が配設され、このスプリング９の他端が背凭れ４の下端に突設された連結端部４ａに枢着されている。ガススプリング９は背凭れ４を常に起こす方向に付勢している。ガススプリング９には背凭れ４を任意位置で固定するロック機構（図示しない）が設けられ、この機構のロック状態は図示しない操作部での遠隔操作により解除されるようになっている。したがって、ロック機構のロック動作が解除された状態で、背凭れ４に体重を掛けることにより背凭れ４が倒され、かつ、背凭れ４に掛かる体重を小さくすると背凭れ４は自然に起きることができる。
【００１７】
前記座部３及び背凭れ４のうち少なくとも背凭れ４には１以上の施療子、例えば圧縮空気の給排気に伴い膨張収縮する施療用袋体（図示しない）が配置されている。これらの袋体は、気密性を有する軟質部材からなるとともに、背凭れ４に対しては背中を支持する背凭れ板４ｂの前面に取付けられ、座部３に対しては臀部を支持する図示しない座部板の上面に取付けられる。又、施療用袋体には、座部３の下側に配置される図示しないエアー給排気装置により、リモートコントローラ等の操作部で指定した順番等にしたがって圧縮空気が給排気されるようになっている。なお、各袋体には補助的に指圧突起を付設してもよい。
【００１８】
前記椅子本体１には座部３の前方に配置される脚載置台１１が取付けられている。脚載置台１１は次に説明するように脚支持体１２と脚載置部１３とを有してなるとともに、その脚載置部１３を前後方向に移動可能に設けて形成されている。
【００１９】
すなわち、図３に示されるように脚支持体１２は、板金製支持体ベース１４と、２本の同径の金属製支持軸１５、１６とから形成されている。支持体ベース１４は、椅子本体１の幅方向に延びる帯板の両端部に、これら端部を直角に折り曲げて互いに平行な連結ブラケット１４ａを設けて形成されている。連結ブラケット１４ａは図２に示されるように略Ｌ字形状をなしている。両支持軸１５、１６は、その後端部を、前記連結ブラケット１４ａが折り曲げられることに伴い形成された支持体ベース１４の両端部の角部内側に溶接やねじ止め等により固定すして設けられている。したがって、両支持軸１５、１６は前後方向に延びて互いに平行状に配置され、前記支持体ベース１４とともにコの字形状をなすように組合わされている。両支持軸１５、１６の前端部には夫々ストッパ凸部１７が取付けられている。
【００２０】
図１及び図３等に示されるように脚載置部１３は、底壁２１と、この底壁２１の両側に形成された側壁２２と、これら側壁２２と平行に底壁２１の中間部に形成された中央壁２３とを有している。各壁部２１〜２３はいずれも互いに連通する中空構造であり、中央壁２３と側壁２２との間には上方に開放した略Ｕ形状の脚セット溝２４が夫々形成されている。これらセット溝２４に臨んだ側壁２２及び中央壁２３には夫々脚用施療子として例えば気密性を有する軟質部材からなる施療用袋体２５（図１図参照）が取付けられている。なお、各袋体２５には補助的に指圧突起を付設してもよい。これら袋体２５は脚載置部１３の内部を通って配管されるエアーホースを介して前記エアー給排気装置に接続されている。この装置で生成される圧縮空気の給排気により各袋体２５は、同時に膨張収縮されて脚を圧迫弛緩するようになっている。図３には前記エアーホースの一部が示され、２７はエアー給排気装置に連通される共通エアーホース、２８は側壁２２に取付けられた施療用袋体２５に連通するエアーホース、２９は中央壁２３に取付けられた施療用袋体２５に連通するエアーホース、又３０はエアー分配器を示している。
【００２１】
この脚載置部１３は図３〜図５に示す取付け構造により前記脚支持体１２に取付けられている。すなわち、脚載置部１３の底壁２２の裏面には前後方向に延びる一対の嵌合部材３１、３２が夫々取付けられている。これら嵌合部材３１、３２はダイキャスト等により成形された金属製であって、図３〜図５中３１ｂ、３２ｂはねじ止め用の突片である。なお、嵌合部材３１、３２は第１の実施の形態においては互いに独立した部品であるが、一体に成形してもよく、そのようにする場合には嵌合部材３１、３２の脚載置部１３への取付けに拘らず相互間のピッチが変わる恐れがない点で優れている。
【００２２】
これら嵌合部材３１、３２はパイプ状をなしているので、夫々軸方向に延びる嵌合孔３１ａ、３２ａ（図４及び図５参照）を有している。これら嵌合孔３１ａ、３２ａの夫々には前記支持軸１５、１６が個別に摺動可能に嵌合されており、それによって、脚載置部１３がその裏側から脚支持体１２に支持されている。
【００２３】
嵌合部材３１、３２とこれらを軸方向に貫通する支持軸１５、１６との嵌合において、一方の嵌合部材３１の嵌合孔３１ａとこれに嵌合される支持軸１５との公差はきつく設定され、それにより、図４に示されるように支持軸１５と嵌合孔３１ａとは相互間に殆ど隙間がないように密に嵌合されている。これに対して、他方の嵌合部材３２の嵌合孔３２ａとこれに嵌合される支持軸１６との公差は緩く設定され、それにより、図５に示されるように支持軸１６と嵌合孔３２ａとは、相互間に遊び間隙Ｇを形成して嵌合されている。遊び間隙Ｇを形成する上で、嵌合孔３２ａは、支持軸１６と相似形状の大径孔でも差し支えないが、第１の実施の形態では脚載置台１１の幅方向に沿って多少長く、したがって、横長の楕円形状をなしている。このようにすることは脚載置台１１の幅方向についての後述する取付け位置等のばらつきの吸収能力をより高め得る点で優れている。
【００２４】
前記構成により脚支持体１２に対して前後方向に移動可能に取付けられた脚載置部１３は、椅子本体１に対して次のような位置関係に設けられ、所定の可動範囲にわたって前後方向に移動されるようになっている。すなわち、図２（Ａ）に示されるように前記背凭れ４の背凭れ板４ｂの表面からなる背凭れ面と前記座部３の表面（上面）の後方への延長線との交点Ａから後述する可動範囲の中心（移動可能距離の丁度半分の距離となる点）に渡る基準距離Ｌを６９５．７ｍｍに設定してある。そして、前記可動範囲Ｓは、前記交点Ａからの前記基準距離Ｌに達する位置を基点として±７５ｍｍの範囲に設定してある。言い換えれば、前記基点を中心に±７５ｍｍの範囲に渡って脚載置部１３が脚支持体１２に対して前後に動き得るように脚載置台１１が形成されており、そのプラス方向（座部３から離れる方向）の動きは嵌合部材３１、３２の筒部の前端がストッパ凸部１７に当ることにより制限され、この逆に、マイナス方向（座部３に近づく方向）の動きは前記筒部の後端が支持体ベース１４に当ることにより制限されるようになっている。なお、前記マイナス方向の移動距離については、脚載置部１３がマイナス方向に７５ｍｍ移動可能な設定であっても、座部３の前端位置との兼ね合いでこの前端に脚載置部１３が当る場合には、実際のマイナス方向の移動距離が７５ｍｍ以下となることが有り得る。
【００２５】
前記基準距離Ｌは図７中実線に示す座位状態の臀部から脚の脹脛の頂部に渡る距離、言い換えば、座位臀下腿最大囲距離についての日本人の２０歳から８０歳までの男女の総合平均値である。この値は、社会法人人間生活工学研究センターの人体計測データベースの１９９２年度版から１９９３年度版に記載されたものである。ちなみに、前記データによれば、男性の座位臀下腿最大囲距離の平均は７２５．８ｍｍ、女性の座位臀下腿最大囲距離の平均は６６５．７ｍｍである。又、脚載置部１３が設計上移動可能な範囲、つまり、前記可動範囲Ｓは、日本人の２０歳から８０歳までの男女の各年代毎の下腿最大囲高（つまり、図７中実線と２点鎖線との組合わせで示す起立状態の足裏から脚の脹脛の頂部に渡る距離）の最大値と最小値の内の最大値（下表の男性２０歳最大値３５９．８ｍｍ参照）と最小値（下表の女性４０歳最小値２１０．３ｍｍ参照）との差、言い換えれば、下腿最大囲高の最大ばらつき値に相当するものである。したがって、前記可動範囲Ｓの長さは（０〜１５０）ｍｍに設定されている。この値は前記社会法人人間生活工学研究センターの人体計測データベースに記載されたものであり、その下腿最大囲高さのばらつきを示す表を次に示す。
【００２６】
【表１】
0003686243.tif 000002
【００２７】
又、両支持軸１５、１６のうちの少なくとも一方の支持軸、例えば図３に示すように支持軸１５とこれに嵌合された嵌合部材３１とがなす一方の摺動支持部には、脚載置部１３を前記可動範囲Ｓ内の任意位置で固定するブレーキ操作式のワンタッチロック機構３３が設けられている。図３及び図６に示されるように前記ロック機構３３は、ブレーキシュー３４と、ブレーキレバー３５とを有している。嵌合部材３１の軸方向中間部の一部には、支持軸１５を露出させる開放部３６が設けられ、この開放部３６にブレーキシュー３４が収容されている。このシュー３４は、開放部３６に露出された支持軸１５に接するブレーキ面３４ａと、これと反対側の面に形成された係合凹部３４ｂとを有している。嵌合部材３１には開放部３６の両側に位置して相対向する一対の軸支え凸部３７が一体に突設され、これら凸部３７にわたって設けた支軸３８には、ブレーキレバー３５の基端部が回動可能に取付けられている。このレバー３５の基端部には前記係合凹部３４ｂに係脱可能なカム部３５ａが設けられ、このブレーキレバー３５は図６（Ａ）に示すロック解除位置と図６（Ｂ）に示すロック位置とにわたって回動可能である。
【００２８】
ブレーキレバー３５がロック位置にある時、そのカム部３５ａは係合凹部３４ａに係合するとともにブレーキシュー３４のブレーキ面３４ａを強く支持軸１５に圧接して、支持軸１５に対して嵌合部材３１ひいては脚載置部１３が動かないように固定（ロック）できる。又、ブレーキレバー３５がロック解除位置にある時、そのカム部３５ａが係合凹部３４ａから外れるとともにブレーキシュー３４のブレーキ面３４ａを支持軸１５に対して軽微に接触ないしは支持軸１５に対して非接触として、支持軸１５に対して嵌合部材３１ひいては脚載置部１３を自由に動かすことができる。
【００２９】
ブレーキレバー３５は手動操作により回動されるものである。又、この回動操作に伴いカム部３５ａは、ブレーキシュー３４の図６（Ａ）（Ｂ）中符号３４ｃで示す節度部を弾性変形させながら乗り越えて、係合凹部３４ｂに係脱されるものであり、その際に節度感を得ることができる。しかも、係合凹部３４ｂにカム部３５ａが係合することによって、ブレーキシュー３４の反力を受けるブレーキレバー３４は、ロック位置に保持されるようになっている。
【００３０】
なお、ワンタッチロック機構３３を支持軸１５側に設けた構成においては、この軸１５とそれに嵌合された嵌合部材３１の嵌合孔３１ａとの公差がきつく密に嵌合していてがたつくことがないから、他方の支持軸１６側にワンタッチロック機構３３を設けるよりも既述の任意ロック位置でのブレーキ作用を確実に発揮させ得る点で優れている。
【００３１】
又、前記構成の脚載置台１１は、図２（Ａ）に示すように座部３の前端に連なるように水平状の姿勢をなす載置位置と、図２（Ｂ）に示すように座部３の前端から下方に折れ曲がって垂直状の姿勢をなす格納位置とにわたって移動可能に設けられている。このような移動を可能とするために、前記本体フレーム２と脚支持体１２とにわたってリンク機構４１が設けられている。この機構４１が備える出力リンク４１ａは支持体ベース１４が有する一対の連結ブラケット１４ａに枢着されているとともに、入力リンク４１ｂには操作ハンドル４２が接続されている。操作ハンドル４２は一方の肘掛け部５の外側に配置されている。
【００３２】
このハンドル４２を図２（Ｂ）の状態から図２（Ａ）の状態に示すように後方へ倒すように回動させることにより、リンク機構４１が伸びるように動作して、前記載置位置に脚載置台１１を配置できるとともに、この逆に、操作ハンドル４２を図２（Ａ）の状態から図２（Ｂ）の状態に示すように後方へ倒すように回動させることにより、リンク機構４１が縮むように動作して、前記格納位置に脚載置台１１を配置できるようになっている。なお、操作ハンドル４２の回動軸には図示しないロック機構が取付けられており、そのロック作用が働いた時には前記格納位置から載置位置に至る任意角度位置及び前記載置位置に脚載置台１１を保持できるとともに、肘掛け部５などに設けた図示しないロック解除操作部の操作に伴い脚載置台１１のロックを解除して、この台１１を格納位置等に動かし得るようになっている。
【００３３】
前記構成の椅子式エアーマッサージ機において脚載置台１１を使用しない場合には、この台１１を座部３の前側の前記格納位置に配置すればよく、又、脚載置台１１を使用する場合には、この台１１を起こして前記載置位置に配置するとともに、この台１１の脚セット溝２４に使用者の両脚を個別に収容して使用すればよい。
【００３４】
この場合、脚載置台１１は、使用者の体格に応じて適正な位置、つまり、施療用袋体２５の略中心部が脚セット溝２４内の脚の必要個所、例えば標準的には脹脛の頂部に対応する位置に調節して配置される。
【００３５】
この位置調節は、前記ワンタッチロック機構３３のブレーキレバー３５を図６（Ａ）に示すロック解除位置に回動させることにより、支持軸１５に対する嵌合部材３２の摺動を可能とした状態で、使用者自らの手で、或いは脚先で脚載置部１３を脚支持体１２に対して前後に移動させることにより、特別な動力を要することなく行なう。
【００３６】
この時、脚載置部１３は、それに設けた嵌合部材３１、３２を脚支持体１２の２本の支持軸１５、１６にそれらの軸方向に沿って摺動させながら前後方向に移動される。この位置調節後には、ワンタッチロック機構３３のブレーキレバー３５を図６（Ｂ）に示すロック位置に回動させて、このレバー３５のカム部３５ａでブレーキシュー３４を支持軸１５に強く圧接することにより、前記摺動ができないように拘束して、つまり、脚支持体１２に対して脚載置部１３をロックできる。
【００３７】
このような位置調節に伴うワンタッチロック機構３３の操作は、そのブレーキレバー３５を既述のようにロック位置からロック解除位置へ回動させたり、この逆に、ロック解除位置からロック位置へ回動させるだけのワンタッチ操作により容易に行なうことができるので、脚載置部１３が有する施療用袋体２５を使用者の脚の被施療部に対し適正位置に容易に位置決めすることができる。
【００３８】
ところで、前記構成の椅子式エアーマッサージ機では、既に説明したように座部３の表面の後方への延長線と背凭れ４の背凭れ面との交点Ａから脚載置部１３の前後方向の中心に渡る基準距離Ｌを、２０歳〜８０歳の日本人男女の座位臀下腿最大囲距離Ｌの平均値、すなわち、６９５．７ｍｍに設定してある。又、脚載置部１３の可動範囲Ｓは、前記交点Ａから基準距離Ｌに達した位置を基点に、２０歳〜８０歳の日本人男女の下腿最大囲高Ｓのばらつき範囲に合致して定められ、すなわち、前記基点を中心に前後方向に±７５ｍｍに定められている。そして、この可動範囲Ｓ内での移動により使用者の体格に応じた脚載置部１３の位置調節ができるものである。
【００３９】
このように背凭れ４に寄り掛かって椅子本体１に座った使用者の脚が載置される脚載置部１３を、使用者の脹脛の頂部を中心として前記座位臀下腿最大囲距離Ｌを増減するように前後方向に移動して既述の位置調節を行なうことにより、前記下腿最大囲高Ｓのばらつきに拘らず、２０歳〜８０歳の日本人男女の使用であれば、万人に対して脚載置部１３が有する施療用袋体２５の中心部を使用者の脚の脹脛の頂部位置に適正に対応配置させることができる。したがって、この調節後にエアー給排気装置のエアー給排気動作で施療用袋体２５の膨張収縮（この動作は椅子本体１側の施療用袋体の膨張収縮と同時又は別個に行われる。）を繰り返すことにより、これら袋体２５により前記脹脛の頂部位置部分等を圧迫弛緩させて、効果的なマッサージをすることができる。すなわち、脚施療部１３の前記位置調節により２０歳〜８０歳の日本人男女の使用であれば施療用袋体２５と脚の被施療部との位置の不適合がなく使用可能であるから、使用感を向上することができる。
【００４０】
又、脚載置部１３を前後に摺動させるために、脚支持体１２の２本の支持軸１５、１６に脚載置部１３の一対の嵌合孔３１ａ、３２ａを摺動可能に嵌合させた構成によれば、脚支持体１２及び嵌合部材３１、３２の寸法のばらつき及び脚支持体１２の支持体ベース１４に対する２本の支持軸１５、１６の取付け位置のばらつき、及び脚載置部１３の底壁２１の裏面への嵌合部材３１、３２の取付け位置のばらつき等が集積する可能性がある。
【００４１】
しかし、こうしたばらつきに拘らず既述のように支持軸１５とこれへの嵌合部材３１の嵌合孔３１ａとを密に嵌合させたことにより、脚載置部１３を幅方向にがたつくことなく前後方向に移動させることができる。その結果、前記ばらつきの集積が支持軸１６とこれに嵌合した嵌合部材３２の嵌合孔３２ａとの嵌合部に集中するが、この部分においては、支持軸１６と嵌合孔３２ａとの間に遊び間隙Ｇを設けて支持軸１６に嵌合部材３２の遊嵌した構成であるから、前記遊び間隙Ｇによって前記ばらつきの集積を吸収することができ、それにより、支持軸１６とこれに嵌合した嵌合部材３２とが競ることを防止できる。
【００４２】
したがって、以上のように幅方向にがたついたり競ったりすることなく、脚支持体１２に対する脚載置部１３の前後方向の移動を円滑に行なわせることができ、それにより、使用感を向上することができる。
【００４３】
又、従来の技術に係る特開平８−３２２８９５号公報に記載のようにラック、歯車、歯車減速機構、及びモータからなる駆動装置を用いて脚載置部を前後に移動させる構成では、部品点数及び組立ての手間が多いためにコスト高であるばかりではなく、マッサージ機全体の重量が増えてしまうという問題がある。これに対して、この第１の実施の形態では、既述のように脚載置部１３を前後方向に移動させるのに特別に駆動装置を用いることなく、人力により脚載置部１３を前後に移動させるとともに、この位置調節後にワンタッチロック機構３３の手動操作で脚載置部１３を動かないように保持する構成であるから、部品点数及び組立ての手間を少なくできてコストダウンを図ることができるとともに、マッサージ機全体の重量を軽くでき、その持ち運び等を容易にできる点で優れている。
【００４４】
なお、本発明は前記第１の実施の形態には制約されない。例えば、背凭れがない椅子式マッサージ機にも適用できる。更に、施療子は膨張収縮する袋体には制約されるものではない。
【００４５】
【発明の効果】
本発明は、以上説明したような形態で実施され、以下に記載されるような効果を奏する。
【００４７】
請求項１に記載の発明によれば、脚載置部の嵌合部材及び脚支持体の２本の支持軸の寸法や取付け位置のばらつき等に拘らず、前記脚載置部の位置調節において脚載置部が幅方向にがたついたり、支持軸と嵌合部材とが競ることを防止しつつ、脚支持体に対して脚載置部を前後方向に円滑に移動できるので、使用感を向上できる。
【００４８】
更に、ブレーキレバーのワンタッチ回動操作により、脚載置部が有する施療子を使用者の脚の被施療部に対する適正位置に容易に位置決めすることができる。
【図面の簡単な説明】
【図１】本発明の第１の実施の形態に係る椅子式エアーマッサージ機全体の構成を示す斜視図。
【図２】（Ａ）は第１の実施の形態に係る椅子式エアーマッサージ機の構成を脚載置台を起こした状態で示す縦断側面図。
（Ｂ）は第１の実施の形態に係る椅子式エアーマッサージ機の構成を脚載置台を格納した状態で示す縦断側面図。
【図３】図１に示された椅子式エアーマッサージ機の脚載置台の構成を示す底面図。
【図４】図３中Ｚ−Ｚ線に沿う摺動支持部の断面図。
【図５】図３中Ｙ−Ｙ線に沿う摺動支持部の断面図。
【図６】（Ａ）は図３中Ｘ−Ｘ線に沿ってワンタッチロック機構の構成をロック解放状態で示す断面図。
（Ｂ）は図３中Ｘ−Ｘ線に沿ってワンタッチロック機構の構成をロック状態で示す断面図。
【図７】人体の座位姿勢を示す側面図。
【符号の説明】
１…椅子本体、３…座部、４…背凭れ、４ｂ…背凭れ板（背凭れ面）、１１…脚載置台、１２…脚支持体、１３…脚載置部、１５…支持軸、１６…支持軸、２５…施療用袋体（脚用施療子）、３１…嵌合部材、３２…嵌合部材、３１ａ…嵌合孔、３２ａ…嵌合孔、３３…ワンタッチロック機構、３４…ブレーキシュー、３５…ブレーキレバー、Ｇ…遊び間隙、Ｓ…可動範囲。
【図１】
0003686243.tif 000003
【図２】
0003686243.tif 000004
【図３】
0003686243.tif 000005
【図４】
0003686243.tif 000006
【図５】
0003686243.tif 000007
【図６】
0003686243.tif 000008
【図７】
0003686243.tif 000009